(57)【要約】【課題】ＤＶ記録日時を確認しながらＤＶカムからのストリームデータの取り込みができ、取り込み後に、再生リストが自動作製できるデジタル記録再生装置を提供する。【解決手段】ＤＶカムからのストリームデータをランダムアクセス可能な記録媒体１１又は１２に録画することをＤＶ録画ボタン２１で指示すると、ＩＥＥＥ１３９４Ｉ／Ｆ７及び１３９４シリアルバス６を介して接続されたＤＶカムを検出し、検出されたＤＶカムの入出力プラグの論理的チャンネルと仮想的接続し、ＤＶカムからのストリームデータを、記録媒体１１又は１２の記録フォーマットに変換し、変換されたデータを記録する。また、ＤＶパケットヘッダ内のタイムコードの不連続点を検出し、これに対応したＤＶ記録日時をタイトルとして表示させ、確認しながらストリームデータの取り込みを行う。取り込んだＤＶ記録日時をＥＥＰＲＯＭに一時記憶させリストとして一覧表示させる。【選択図】図２
2007267300.tif 000002
【特許請求の範囲】
【請求項１】
制御信号と情報信号とを混在させて送受信できる通信制御バスによる双方向通信手段と、
前記双方向通信手段を介して接続されたデジタル映像機器を検出するデジタル映像機器検出手段と、
前記検出されたデジタル映像機器の入出力プラグの論理的チャンネルと仮想的接続する仮想的接続手段と、
前記デジタル映像機器からのストリームデータを、使用するランダムアクセス可能な記録媒体の記録フォーマットに変換するストリーム変換手段と、
前記フォーマット変換されたデータを前記記録媒体に記録する記録手段と、
ユーザが前記デジタル映像機器からのストリームデータを前記記録媒体に取り込むことを指示する録画操作部と、
表示手段に表示される撮影情報画面を生成するタイトル画面生成手段と、
前記表示手段に表示させる映像信号を出力する表示制御手段と、
一時記録手段と、
装置全体の動作を制御する制御手段と
を有し、
前記制御手段は、
前記録画操作部によりストリームデータの取り込みが指示されたときに、前記デジタル映像機器からのストリームデータのタイムコードの不連続点を検出するタイムコード不連続点検出手段と、
タイムコードの不連続点に対応したＤＶ記録日時を検出するＤＶ記録日時検出手段と、
前記検出されたタイムコードの不連続点に対応したテープカウンタ値を検出するテープカウンタ値検出手段と、
前記検出されたタイムコードの不連続点に対応した既に入力されたタイトルを検出するタイトル検出手段と
を有し、
前記制御手段は、前記検出されたタイムコードの不連続点、前記テープカウンタ値、及び前記入力されたタイトルの少なくとも一つを前記一時記録手段に記録させ、前記タイトル画面生成手段に、前記ＤＶ記録日時、前記テープカウンタ値、及び前記タイトルの少なくとも一つを含む前記撮影情報画面を生成させる
ことを特徴とするデジタル記録再生装置。
【請求項２】
前記制御手段は、前記デジタル映像機器からのストリームデータの取り込み後、前記タイトル画面生成手段に、前記ＤＶ記録日時及び前記テープカウンタ値を含む前記撮影情報画面を生成させることを特徴とする請求項１に記載のデジタル記録再生装置。
【請求項３】
前記制御手段は、前記タイトル画面生成手段に、前記デジタル映像機器からのストリームデータのＤＶ無記録部で区切られた部分ごとに、前記撮影情報画面を生成させることを特徴とする請求項１又は２のいずれかに記載のデジタル記録再生装置。
【請求項４】
前記制御手段は、
前記一時記録手段前記デジタル映像機器からのストリームデータを一時記録させ、
ユーザからの指示に基づいて、前記一時記録されたストリームデータの不用な部分をカットして、前記記録媒体に記録させる
ことを特徴とする請求項１から３までのいずれかに記載のデジタル記録再生装置。
【請求項５】
前記表示制御手段は、前記撮影情報画面を表示させない表示モードを選択できることを特徴とする請求項１から４までのいずれかに記載のデジタル記録再生装置。
【請求項６】
前記記録媒体は、ハードディスクドライブ又はデジタル多用途ディスクであることを特徴とする請求項１から５までのいずれかに記載のデジタル記録再生装置。
【請求項７】
前記通信制御バスは、ＩＥＥＥ１３９４規格に準拠することを特徴とする請求項１から６までのいずれかに記載のデジタル記録再生装置。
【発明の詳細な説明】
【技術分野】
【０００１】
本発明は、制御信号と情報信号とを混在させて伝送する通信制御バスによる双方向通信機能を有し、通信制御バスに接続されたＤＶ（デジタルビデオ）方式の映像機器（ＤＶ機器）を検出し、そのＤＶ機器から出力されたＤＶデータを取り込んでランダムアクセス可能な記録媒体に記録するデジタル記録再生装置に関するものである。
【背景技術】
【０００２】
近年、映像音声データをＤＶテープに記録するＤＶ機器、例えば、ビデオカメラとＶＴＲとを一体化させたＤＶカム（デジタルビデオカムコーダ）が普及している。ＤＶテープに記録されたデータは、デジタル記録再生装置によって取り込まれ、デジタル記録可能な記録媒体、例えば、ＤＶＤ（デジタル多用途ディスク）やＨＤＤ（ハードディスクドライブ）に保存される。
【０００３】
一般に、ＤＶテープに記録された映像信号は、ＭＰＥＧエンコードされたものではなく、ＤＶ方式でデータ圧縮されたＤＶ信号である。ここで、ＤＶ方式は、「ＨＤデジタルＶＣＲ協議会」が定めた標準規格である。
【０００４】
一方、デジタル記録再生装置が、通信制御バスであるＩＥＥＥ１３９４シリアルバス（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４  Ｈｉｇｈ  Ｐｅｒｆｏｒｍａｎｃｅ  Ｓｅｒｉａｌ  Ｂｕｓ）を介して、他の機器からのデジタルデータの記録を行う場合、ＭＰＥＧ−ＴＳ（ＭＰＥＧ  Ｔｒａｎｓｐｏｒｔ  Ｓｔｒｅａｍ）方式の映像圧縮データを取り扱うことが多い。このため、デジタル記録再生装置が、圧縮方式の異なる映像音声データを取り込む際には、信号元のデジタル信号の符号化方式を、記録先のランダムアクセス可能な記録媒体に適合させるようにフォーマット変換することが必要である。
【０００５】
例えば、ＩＥＥＥ１３９４シリアルバスを用いたデジタル記録可能なＭＰＥＧ２−ＴＳ記録方式のデジタル記録再生装置は、１３９４シリアルバスのネットワークを介して、複数のデジタル機器に接続可能である。１３９４シリアルバスのネットワークにおいては、ネットワークを構成する機器の接続形態をトポロジーと呼び、１つのバス上に最大６３台までの機器を接続可能である。デジタル記録再生装置は、理論的には、トポロジー上のどの接続機器とも、リアルタイムのデータ伝送である同期データ伝送用のアイソクロナス（Ｉｓｏｃｈｒｏｎｏｕｓ）通信及び通常のアシンクロナス（非同期、Ａｓｙｎｃｈｒｏｎｏｕｓ）通信を行うことができる（例えば、非特許文献１参照）。
【０００６】
図１５は、ＩＥＥＥ１３９４シリアルバス１０６によるＤＶ機器２００，３００，４００のネットワーク接続の一例を示すブロック図である。図１５においては、ＩＥＥＥ１３９４対応のデジタル記録再生装置２００が、１３９４シリアルバス１０６によって、信号源となるデジタル放送受信機４００に接続されている。なお、ＩＥＥＥ１３９４規格の接続形態としては、ループ接続、ツリー接続、デイジーチェーン接続、及びスター接続が可能である。以下に、デジタル記録再生装置２００がデジタル放送受信機４００から出力されるＭＰＥＧ−ＴＳを記録する場合を説明する。
【０００７】
図１６は、図１５のデジタル記録再生装置２００の構成を概略的に示すブロック図である。図１６に示されるように、デジタル記録再生装置２００は、１３９４シリアルバス１０６によってデジタル放送受信機４００と接続されている。図１６に示されるように、デジタル記録再生装置２００は、トポロジー情報を格納する不揮発性記憶装置２０１と、マイクロコンピュータ（マイコン）２０２と、１３９４インターフェース部２０３と、Ｄ−ＶＨＳ（データ・ビデオホームシステム）記録再生部２０４と、録画操作部である録画ボタン２０５と、機器選択ボタン２０６と、モード選択ボタン２０７と、記録の際にデジタル記録再生装置２００との仮想的接続を行う機器を表示して、ユーザの操作により機器を選択できるような機器情報表示部２０８とを備えている。
【０００８】
図１７は、図１５のデジタル記録再生装置２００のデジタル記録開始時にユーザインターフェースを用いてユーザが行う操作を示すフローチャートである。図１７に示されるように、ユーザは、デジタル放送受信機（図１６の４００）から出力されるＭＰＥＧ−ＴＳのデジタル記録を行うために、デジタル放送受信機が記録対象機器として選択されているかどうかを、機器情報表示部（図１６の２０８）の表示で判断する（ステップＳ２１１）。機器情報表示部においてデジタル放送受信機が選択されていなければ、機器選択ボタン（図１６の２０６）を押下することによって、記録対象機器を変更して（ステップＳ２１３）、処理をステップＳ２１１に戻す。ステップＳ２１１で機器情報表示部（図１６の２０８）においてデジタル放送受信機（図１６の４００）が選択されていれば、ユーザは、記録モードがデジタル記録モードであるか否かを判断する（ステップＳ２１２）。デジタル記録モードであれば、処理はステップＳ２１５に進み、デジタル記録モードでなければ、記録モードボタンによってデジタル記録モードに設定してから、処理はステップＳ２１５に進む。次に、デジタル記録再生装置のマイクロコンピュータ（図１６の２０２）は、ユーザにより録画ボタン（図１６の２０５）が押されたかどうかを判断して、押されていなければ再びステップＳ２１５に戻り、押されていれば記録を開始する（ステップＳ２１６）。
【０００９】
また、ＤＶＤ記録再生装置における編集作業の操作手順を簡略化する方法として、編集処理を行う場合に、編集処理と再生処理を交互に行うのではなく、再生処理に編集処理を割り込ませるようにしたものがある（例えば、特許文献１参照）。編集処理メニューからチャプターマークを付与する処理の例を、図１８のフローチャートと図１９の編集処理動作のフローチャートを用いて、説明する。
【００１０】
図１８において、制御部（例えば、図１６のマイクロコンピュータ）は、モードキーが押下されるのを待ち、モードキーが押下されると（ステップＳ２１ｂ）、どのモードキーが押下されたかを判断する（ステップＳ２２ｂ）。録画キーが押下されたときには、制御部は、録画モードと判断して録画処理を行う（ステップＳ２３ｂ）。再生キーが押下されたときには、制御部は、再生モードと判断して再生処理を行う（ステップＳ２４ｂ）と共に、図１９のフローチャートに示される編集処理（ステップＳ３１ｂ，Ｓ３２ｂ，Ｓ３３ｂ，Ｓ３４ｂ，Ｓ３５ｂなど）を行う（ステップＳ２６ｂ）。メニューキーが押下されたときには、制御部は、選択再生モードと判断して選択処理を行い（ステップＳ２５ｂ）、その後、再生処理（ステップＳ２４ｂ）と編集処理（ステップＳ２６ｂ）を行う。
【００１１】
ＩＥＥＥ１３９４プロトコルを用いたＭＰＥＧストリーム伝送のための規格として、ＩＥＣ６１８８３がある。また、ＩＥＥＥ１３９４プロトコルを用いて接続されたオーディオビデオ機器を制御するコマンドの規格として、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ（一般に「ＡＶ／Ｃ  Ｇｅｎｅｒａｌ」と言う。）というプロトコルがある。ここでは、ＩＥＥＥ１３９４でハンドシェイクを行なうための基本的なプロトコル（すなわち、コマンドのやり取りの約束）が規定されている。これらのプロトコルを使用する場合、機器はサブユニット（Ｓｕｂｕｎｉｔ）と呼ばれるソフトウェア構造を持つことを基本とし、このプロトコルを実装した機器に対してＡＶ／Ｃコマンドで制御を行うことができる。
【００１２】
【非特許文献１】高田信司監修、「ＩＥＥＥ１３９４ＡＶ機器への応用」、日刊工業新聞社、２０００年１月２８日発行
【特許文献１】特開２００４−１４７２０２号公報（段落００１６〜００１７、図３、図４）
【発明の開示】
【発明が解決しようとする課題】
【００１３】
以上のように、従来のデジタル記録再生装置においては、図１８及び図１９に示されるように、再生処理中においてのみ編集モードを選択でき、編集用のキーによって編集モードが選択されると、再生処理を中断して編集処理（例えば、チャプターマーク付与）モードに移行し、編集処理終了後に、編集処理モードの解除を操作して、再生を再開させなければならなかった。
【００１４】
また、従来のデジタル記録再生装置においては、ＤＶテープのＤＶストリームデータの取り込み中は、この取り込み中の映像がいつＤＶカムで録画されたものなのか、タイトル名が付いているのか否か、タイトル名が付いている場合にはタイトル名は何なのか等を、即座に確認できなかった。これらの情報を確認するためには、ＤＶストリームデータの取り込みを中断し、再生リストを表示させて確認しなければならないという問題があった。
【００１５】
さらに、従来のデジタル記録再生装置においては、ＤＶテープのＤＶストリームデータをデジタル記録再生装置内のＨＤＤやＤＶＤに取り込み中、不用な部分をカットしてダビングする（取り込む）機能は備えられていなかった。
【００１６】
さらにまた、従来のデジタル記録再生装置においては、ＤＶカムが、記録された有効なＤＶストリームデータを再生し終えたことを、デジタル記録再生装置が検知できずに、ＤＶストリームデータを取り込みし続けるという問題があった。
【００１７】
そこで、本発明は、上記従来技術の課題を解決するためになされたものであり、その目的は、ユーザによる複雑な操作を必要とせず、ＤＶ機器からＤＶストリームデータをデジタル記録再生装置の記録デバイスに取り込む際、タイトル名又はＤＶ記録日時などを含む撮影情報を常時表示することができるデジタル記録再生装置を提供することである。
【００１８】
また、本発明の他の目的は、ユーザによる複雑な操作を必要とせず、ＤＶ機器から有効なＤＶストリームデータを取り込み後、自動でＤＶ記録日時一覧表又はタイトルリストなどを含むが撮影情報を表示できるデジタル記録再生装置を提供することである。
【００１９】
また、本発明のさらに他の目的は、ユーザによる複雑な操作を必要とせず、ＤＶ機器から有効なＤＶストリームデータを取り込み後、自動でデジタル記録再生装置の取り込み動作を終了することができるデジタル記録再生装置を提供することである。
【課題を解決するための手段】
【００２０】
本発明のデジタル記録再生装置は、制御信号と情報信号とを混在させて送受信できる通信制御バスによる双方向通信手段と、前記双方向通信手段を介して接続されたデジタル映像機器を検出するデジタル映像機器検出手段と、前記検出されたデジタル映像機器の入出力プラグの論理的チャンネルと仮想的接続する仮想的接続手段と、前記デジタル映像機器からのストリームデータを、使用するランダムアクセス可能な記録媒体の記録フォーマットに変換するストリーム変換手段と、前記フォーマット変換されたデータを前記記録媒体に記録する記録手段と、ユーザが前記デジタル映像機器からのストリームデータを前記記録媒体に取り込むことを指示する録画操作部と、表示手段に表示される撮影情報画面を生成するタイトル画面生成手段と、前記表示手段に表示させる映像信号を出力する表示制御手段と、一時記録手段と、装置全体の動作を制御する制御手段とを有し、前記制御手段は、前記録画操作部によりストリームデータの取り込みが指示されたときに、前記デジタル映像機器からのストリームデータのタイムコードの不連続点を検出するタイムコード不連続点検出手段と、タイムコードの不連続点に対応したＤＶ記録日時を検出するＤＶ記録日時検出手段と、前記検出されたタイムコードの不連続点に対応したテープカウンタ値を検出するテープカウンタ値検出手段と、前記検出されたタイムコードの不連続点に対応した既に入力されたタイトルを検出するタイトル検出手段とを有し、前記制御手段は、前記検出されたタイムコードの不連続点、前記テープカウンタ値、及び前記入力されたタイトルの少なくとも一つを前記一時記録手段に記録させ、前記タイトル画面生成手段に、前記ＤＶ記録日時、前記テープカウンタ値、及び前記タイトルの少なくとも一つを含む前記撮影情報画面を生成させることを特徴としている。
【発明の効果】
【００２１】
本発明によれば、ユーザがデジタル映像機器を接続し、デジタル記録再生装置の録画操作部を操作すると、対象となるデジタル映像機器を選択し、デジタル映像機器の映像音声データが存在する部分からの再生開始と同期を取ってデジタル記録再生装置の記録媒体に取り込みを開始し、ＤＶ無記録部及びタイムコードの不連続点を検索し、それに対応したＤＶ記録日時や既にタイトル入力のあるタイトルをも表示できるので、ＤＶ記録日時やタイトルを確認しながらランダムアクセス可能な記録媒体に取り込みできるという効果がある。
【００２２】
また、本発明によれば、ランダムアクセス可能な記録媒体に取り込み後、取り込まれたストリームデータに関する一覧表が作成できるので、取り込まれたストリームデータの確認を簡単に行うことができるという効果がある。
【発明を実施するための最良の形態】
【００２３】
実施の形態１．
図１は、本発明の実施の形態１に係るデジタル記録再生装置１を含むワンタッチＤＶストリーム取り込みシステム１００の構成を概略的に示すブロック図である。ワンタッチＤＶストリーム取り込みシステム１００は、ユーザがＤＶストリーム取り込みを指示する録画操作部であるＤＶ録画ボタンを押すだけで、ＤＶストリームデータをランダムアクセス可能な記録媒体に取り込むことが（記録することが）できるシステムである。図１に示されるように、ワンタッチＤＶストリーム取り込みシステム１００は、ＩＥＥＥ１３９４規格に準拠したシリアルバス（１３９４シリアルバス）による通信機能を有する複数台のＤＶ機器（１３９４対応機器）１〜４を、１３９４シリアルバス（１３９４ケーブル）６で接続することによって構成されている。ここで、１３９４対応機器１は、ランダムアクセス可能なデジタル記録再生装置であり、１３９４対応機器２は、Ｄ−ＶＨＳ（データ・ビデオホームシステム）方式のビデオテープレコーダであり、１３９４対応機器３は、ＳＴＢ（セットトップボックス）であり、１３９４対応機器４は、ＤＶカム（デジタルビデオカムコーダ）である。また、デジタル記録再生装置１にモニタテレビジョン（モニタＴＶ）５を接続しておくことで、１３９４シリアルバス６を介して、ＤＶカム４のＤＶテープ操作キーの表示、及び、そのＤＶテープ操作キーによるデジタル記録再生装置１の動作状態の表示をすることができる。なお、モニタＴＶ５は、デジタル記録再生装置１に接続する場合には、ＩＥＥＥ１３９４規格に非対応な機器とすることもできる。また、１３９４シリアルバス６は、１３９４対応機器１〜４を、スター状又はツリー状に接続する。また、１つのバスには、最大で６３台の１３９４対応機器が接続できる。
【００２４】
図２は、図１のデジタル記録再生装置１の構成を概略的に示すブロック図である。図２には、デジタル記録再生装置１とＤＶカム４とが、制御信号と情報信号とを混在させて伝送できる通信制御バスである１３９４シリアルバス６を介して接続されている例が示されている。
【００２５】
図２に示されるように、実施の形態１に係るデジタル記録再生装置１は、ＩＥＥＥ１３９４規格に準拠するインターフェース（１３９４Ｉ／Ｆ）７と、ＩＥＥＥ１３９４規格に準拠する物理層（１３９４ＰＨＹ）８と、ＩＥＥＥ１３９４規格に準拠するデータリンク層（１３９４Ｌｉｎｋ）９と、ＨＤＤコントローラ１０と、ＨＤＤ１１と、ＤＶＤ１２の記録再生を制御するＤＶＤコントローラ１３とを有している。また、デジタル記録再生装置１は、ストリーム変換切換部１４と、映像音声復号部１５と、内部制御バス１６と、ＣＰＵ１７と、ＲＯＭ１８と、ＲＡＭ１９と、ユーザインターフェース２０と、表示制御回路３３と、ＧＵＩ生成回路３４と、一時記憶手段としてのＥＥＰＲＯＭ２７とを有している。なお、ＣＰＵ１７、ＲＯＭ１８、及びＲＡＭ１９は、デジタル記録再生装置１全体の動作を制御するための制御部２５を構成している。
【００２６】
１３９４Ｉ／Ｆ７、１３９４ＰＨＹ８、及び１３９４Ｌｉｎｋ９は、通信制御バスである１３９４シリアルバス６を介して接続されたＤＶカム４の出力プラグの論理的チャンネルへの仮想的接続手段と、通信制御バスである１３９４シリアルバス６上のデジタル記録再生装置１の入力プラグの論理的チャンネルへの仮想的接続手段とを備えている。また、１３９４Ｉ／Ｆ７、１３９４ＰＨＹ８、及び１３９４Ｌｉｎｋ９は、通信制御バスを介して接続された種々の機器の中からＤＶ機器（実施の形態１においては、ＤＶテープ機器）を検出する検出手段を備えている。
【００２７】
１３９４Ｉ／Ｆ７、１３９４ＰＨＹ８、１３９４Ｌｉｎｋ９、及びＣＰＵ１７は、ターゲットのＤＶ機器が使用可能かどうかの状況把握手段を備えている。
【００２８】
また、ＤＶ機器（例えば、ＤＶカム４）内のＤＶテープに記録されている情報信号をデジタル記録再生装置１のランダムアクセス可能な記録媒体に記録する手段は、ストリーム変換切換部１４、ＨＤＤコントローラ１０、ＨＤＤ１１、ＤＶＤコントローラ１３、及びＤＶＤ１２により構成されている。記録方式の設定情報、情報信号の記録開始及び記録停止情報は、制御部２５からの制御信号に基づいて、ランダムアクセス可能な記録媒体に記録される。
【００２９】
また、ＤＶ機器のＤＶテープ再生開始及び停止等の制御は、コントローラ側であるデジタル記録再生装置１の制御部２５から出力される制御信号により実行される。制御部２５からの制御信号は、ＩＥＥＥ１３９４規格に準拠したプロトコル（１３９４プロトコル）に変換され、１３９４Ｌｉｎｋ９、１３９４ＰＨＹ８、１３９４Ｉ／Ｆ７、及び１３９４シリアルバス６を介してＤＶカム４に送られる。ＤＶカム４は、ＧＵＩＤ（Ｇｌｏｂａｌ  Ｕｎｉｑｕｅ  Ｉｄｅｎｔｉｆｉｅｒ）、機器の形式、ノードＩＤ、機器名等のトポロジー情報をデジタル記録再生装置１に送信する。デジタル記録再生装置１は、トポロジー情報をモニタ表示し、ユーザはモニタ表示を確認しながらターゲットＤＶ機器を選択する。
【００３０】
以下に、デジタル記録再生装置１が、選択された１台のＤＶカム（ターゲットＤＶ機器）４を遠隔操作して、ＤＶストリーム取り込みを行う動作について説明する。
【００３１】
先ず、ターゲットＤＶ機器であるＤＶカム４から１３９４シリアルバス６を通してデジタル記録再生装置１にＤＶ映像データ（ＤＶストリーム又はストリームデータとも言う。）が入力される。入力されたＤＶ映像データは、１３９４Ｉ／Ｆ７、１３９４ＰＨＹ８、及び１３９４Ｌｉｎｋ９を介してストリーム変換切換部１４に入力される。ストリーム変換切換部１４は、入力されたＤＶ映像データをＨＤＤ１１に記録する場合には、ＤＶ映像データに対しＨＤＤ１１に適合したフォーマットへの変換処理を施してＨＤＤコントローラ１０に変換されたデータを送り、ＤＶＤ１２に記録する場合には、ＤＶ映像データに対しＤＶＤ１２に適合したフォーマットへの変換処理を施してＤＶＤコントローラ１３に変換されたデータを送る。ＤＶ映像データから検出したＤＶ無記録部やタイムコードの不連続点に対応した、ＤＶ記録日時を一時記憶手段であるＥＥＰＲＯＭ（フラッシュメモリ）２７に記録する。ＤＶカム４とデジタル記録再生装置１がＤＶ接続され、録画ボタン２１が押されたことを制御部２５が認識すると、ＣＰＵ１７のコントロールにより、デフォルト設定で常時画面表示が指示され、画面がデジタル記録再生装置１の表示部３６に表示される。外部出力のモニタＴＶ（図１の符号５）には、最初及びデータ更新された時、数秒間画面表示される。
【００３２】
ＨＤＤ１１へのデータ記録時には、ＨＤＤコントローラ１０内のメモリ１０ａに、ＨＤＤ１１のどの位置に何が記録されたかを示すアドレス情報を記録しておく。ＨＤＤ１１からのデータ読み出し時には、メモリ１０ａ内のアドレス情報及びファイルシステムに従い、ＨＤＤ１１からの読み出しが行われる。
【００３３】
ＤＶＤフォーマットに変換されたプログラムストリーム（ＰＳ）データは、ＤＶＤコントローラ１３内のファイルシステムにて、ＣＰＵ１７の制御のもとＤＶＤ１２に記録される。記録時には、ＤＶＤコントローラ１３内のメモリ１３ａに、ＤＶＤ１２のどの位置に何が記録されたかを示すアドレス情報を記録しておく。ＤＶＤ１２からのデータ読み出し時には、メモリ１３ａ内のアドレス情報及びファイルシステムに従い、ＤＶＤ１２からの読み出しが行われる。
【００３４】
ＨＤＤ１１から読み出されたＴＳデータ又はＤＶＤ１２から読み出されたＰＳデータは、映像音声復号部１５において、それぞれのフォーマットに合ったＭＰＥＧデコーダによりデコードされ、制御部２５からの制御信号に応じて動作する表示制御回路５３によって映像信号に変換され、モニタＴＶ（図１の符号５）に出力され、モニタＴＶの画面に表示される。なお、図２には示されていないが、映像音声復号部１５から出力された音声信号は、音声出力回路（図示しない）から出力される。
【００３５】
デジタル記録再生装置１は、１３９４シリアルバス６を介してＤＶカム４を自動検索し、デジタル記録再生装置１にある録画操作部であるＤＶ録画ボタン（ストリームデータ取り込みボタン）２１がユーザにより押下されることにより、１３９４接続されたＤＶカム４内の記録済みＤＶテープ情報であるＤＶストリームを取り込む一連の操作を自動で行う機能を搭載している。
【００３６】
ＤＶストリーム取り込みシステム１００における信号の伝送は、図３に示されるように、所定の通信サイクル（例えば、１２５μｓｅｃ）毎に、時分割多重によって行われる。この信号の伝送は、サイクルマスターと呼ばれる機器が、通信サイクルの開始時であることを示すサイクルスタートパケット（ＣＳＰ）を、１３９４シリアルバス６上へ送出することにより開始される。なお、サイクルマスターは、各機器を１３９４シリアルバス６のケーブルで接続したときに、ＩＥＥＥ１３９４規格において規定する手順により自動的に決定される。
【００３７】
図３に示されるように、１通信サイクル中における通信の形態は、ビデオ信号やオーディオ信号などの情報信号をアイソクロナス（Ｉｓｏｃｈｒｏｎｏｕｓ）に伝送するアイソクロナス通信と、接続制御コマンド等の制御信号をアシンクロナス（Ａｓｙｎｃｈｒｏｎｏｕｓ（非同期））に伝送するアシンクロナス通信の２種類である。そして、ＩｓｏｃｈｒｏｎｏｕｓパケットがＡｓｙｎｃｈｒｏｎｏｕｓパケットより先に伝送される。Ｉｓｏｃｈｒｏｎｏｕｓパケットそれぞれに、チャンネル番号ＣＨ１，ＣＨ２，ＣＨ３，…，ＣＨｎを付けることにより、複数のＩｓｏｃｈｒｏｎｏｕｓデータを区別することができる。Ｉｓｏｃｈｒｏｎｏｕｓパケットの送信が終了した後、次のサイクルスタートパケットまでの期間がＡｓｙｎｃｈｒｏｎｏｕｓパケット（パケットＰ（Ａ），Ｐ（Ｂ）及びアクノレッジパケットａｋ）の伝送に使用される。
【００３８】
ＤＶストリーム取り込みシステム１００においては、ＩＥＥＥ１３９４シリアルバス６を介して、デジタル記録再生装置１からＤＶカム４をコントロールする構成としたことにより、以下のことが可能になる。まず、１３９４シリアルバス６は双方向バスであるので、デジタル記録再生装置１のユーザは、ＤＶカム４、及び、１３９４シリアルバス６に接続された他の１３９４対応機器の状態を知ることができる。また、１３９４シリアルバス６上を映像データ及び音声データが流れるので、デジタル記録再生装置１内にＤＶカム４のデータを蓄積することができる。逆に、デジタル記録再生装置１に蓄積している映像データ及び音声データを、ＤＶカム４においてＤＶテープにコピーすることもできる。さらに、デジタル記録再生装置１は、１３９４対応機器の１３９４シリアルバス（ケーブル）の抜き差しの状態を知ることができる。
【００３９】
また、ＤＶストリーム取り込みシステム１００において、ランダムアクセス可能なデジタル記録再生装置１は、システムコントローラとして機能できる。ＤＶストリーム取り込みシステム１００において、デジタル記録再生装置１がＤＶカム４のコントローラとして機能する場合には、ＤＶ取り込み用のＤＶ録画ボタン２１を押下すると、図４（ａ）に示されるように、ＤＶストリーム取り込み情報３１（既にタイトルがある場合の一例）、又は、図４（ｂ）に示されるように、ＤＶストリーム取り込み情報３２（まだタイトルがない場合の一例）を含むＧＵＩをデジタル記録再生装置１の表示部３６に表示する。また、図４（ｃ）に示されるように、外部出力のモニタＴＶ（図１の符号５）には最初及びデータ更新された時数秒間画面表示に表示され、ＤＶストリーム取り込みが開始される。表示は、テキスト表示だけでなくキャラクター表示でもよい。
【００４０】
ＤＶストリーム取り込みシステム１００において、デジタル記録再生装置１は、ＧＵＩ画面３１，３２をデジタル記録再生装置１の表示部３６又はモニタＴＶ５に表示させて、ＤＶカム４を次のように制御する。
【００４１】
デジタル記録再生装置１は、ＤＶ録画ボタン２１が押下されると、１３９４シリアルバス６に接続されているＤＶカム４をトポロジー情報として登録する。ＤＶストリーム取り込み情報の１つであるＤＶカム４の製造会社名及び機種名等は、ＤＶ対応機器のＣｏｎｆｉｇ．ＲＯＭ（コンフィギュレーションロム）空間から読み出されて、モニタＴＶ５に接続機器に関する情報が表示される。また、ＤＶテープの有無、カセットに備えられたカセットメモリの有無、カセットメモリが搭載されている場合は、そこから読み取ることができたテープの記録時間も同時に表示される。なお、接続機器の詳細は図示していない。
【００４２】
デジタル記録再生装置１は、ＤＶ機器であるＤＶカム４が接続されると、図５のフローチャートに示す手順に従って動作する。図５に示すフローチャートを用いて、１３９４シリアルバス６によるデジタル記録開始の動作の概略を説明する。
【００４３】
図５において、ステップＳ１〜Ｓ３は、１３９４シリアルバス６を介して接続されたＤＶ機器の出力プラグの論理的チャンネルへの仮想的接続手段による処理である。ステップＳ３で１３９４シリアルバスを介して接続された種々の機器の中からＤＶテープ機器としてのＤＶカムを検出する。ステップＳ４〜Ｓ１５は、ＤＶカム４が使用可能かどうかの状況把握手段による処理と、ＤＶテープ内の情報信号をデジタル記録再生装置１のランダムアクセス可能な記録媒体に記録する手段による処理と、記録方式の設定手段による処理と、情報信号の記録開始手段による処理と、記録停止手段による処理を示している。以下、各処理ステップの動作を説明する。
【００４４】
ステップＳ１において、ＤＶカム４を１３９４シリアルバス６に接続すると、デジタル記録再生装置１は、１３９４シリアルバス６に接続されている機器の問い合わせを開始する。
【００４５】
次のステップＳ２において、デジタル記録再生装置１は、１３９４シリアルバス６のネットワーク内の、論理的なチャンネルＸと帯域Ｙ（Ｘ，Ｙは整数）のネットワークリソースを、ＩＲＭ（Ｉｓｏｃｈｒｏｎｏｕｓ  Ｒｅｓｏｕｒｃｅ  Ｍａｎａｇｅｒ）から取得する。ＩＲＭとは、これらチャンネルや帯域などのリソースを管理する能力のあるネットワーク上で動作する機器のことである。また、チャンネルは、１台の送信機器から１台以上の受信機器へＭＰＥＧ−ＴＳパケットなどのＩｓｏｃｈｒｏｎｏｕｓデータを流す論理的な道（ｐａｔｈ）を示し、ＣＳＲ（コントロール・ステータス・レジスタ）アドレス空間のＣＨＡＮＮＥＬＳ＿ＡＶＡＩＬＡＢＬＥレジスタ（ネットワーク上のチャンネルの使用状況が記述されているレジスタ）を設定することによって取得できる。また、帯域は、伝送速度に比例したＩｓｏｃｈｒｏｎｏｕｓ通信の帯域量のことを示し、ＢＡＮＤＷＩＤＴＨ＿ＡＶＡＩＬＡＢＬＥレジスタ（ネットワーク上に残っている帯域量が記述されているレジスタ）を書き換えることによって取得できる。
【００４６】
次のステップＳ３において、デジタル記録再生装置１は、ＤＶカム４の検索を行う。ＤＶカム４は、ブロードキャストコネクション（通信相手のプラグを指定しないコネクション）のプラグを持ち、ＤＶカム４は、カメラサブユニットと、テープレコーダ／プレーヤサブユニットとを持つ。このことから、ＤＶカム４の検索は、１３９４シリアルバスのＡＳＹＮＣコマンドを使ってｏＰＣＲ（Ｏｕｔｐｕｔ  Ｐｌｕｇ  Ｃｏｎｔｒｏｌ  Ｒｅｇｉｓｔｅｒ）の読み取りを行い、１３９４コネクションの１つであるブロードキャストコネクションのプラグを持つ機器を検索することにより実行される。
【００４７】
検索方法は、１３９４シリアルバスのＡＳＹＮＣコマンドのＡＶ／Ｃ（Ａｕｄｉｏ  Ｖｉｄｅｏ  Ｃｏｎｔｒｏｌ）コマンドのやり取りで行われる。ＡＶ／Ｃコマンドは、ＩＥＥＥ１３９４方式で接続された機器をリモート制御するために規定されたコマンドである。このコマンドには、コントロールコマンド、さらにステータスコマンドなどアプリケーションから接続機器を管理するために利用しやすいコマンドがある。
【００４８】
また、ＤＶＣＲ（デジタル・ビデオ・カセット・レコーダー）の規格からテープ上のビデオ及びオーディオ信号のデータは８０バイトのＤＩＦブロック（ＤＩＧＩＴＡＬ  ＩＮＴＥＲＦＡＣＥ  ｂｌｏｃｋ）の並びとして伝送することになっており、走査線５２５本６０フィールドで１０ＤＩＦとなり、これを１ビデオフレームとしている。Ｉｓｏｃｈｒｏｎｏｕｓ通信において、１２５μｓ毎に１パケット伝送するので、１パケットあたりのＤＩＦブロックサイズを計算することによりシグナルモードを認識できる。デジタル記録再生装置１が、ＡＶ／Ｃコマンドを発行し、検索Ｓｕｂｕｎｉｔ  ＩＮＦＯ（サブユニットイン・フォメーション）でテープとカメラの両ユニットを持っているというレスポンスを受信することと、Ｏｕｔｐｕｔ  Ｓｉｇｎａｌ  Ｍｏｄｅ（アウトプット・シグナル・モード）でＳＤ（Ｓｔａｎｄａｒｄ  Ｄｅｆｉｎｉｔｉｏｎ）−ＮＴＳＣ５２５であるとＣＰＵ回路２５にレスポンスを返すことにより、１３９４接続された機器の中からＤＶ機器を検索する。
【００４９】
次のステップＳ４において、ステップＳ３で検索したＤＶカム４に対してデジタル記録再生装置１から１３９４コネクションの１つであるＰｏｉｎｔ−ｔｏ−Ｐｏｉｎｔコネクションを行う。このＰｏｉｎｔ−ｔｏ−Ｐｏｉｎｔコネクションは、１３９４シリアルバスのＡＳＹＮＣコマンドを使ってコントローラとなるデジタル記録再生装置１がＤＶカム４のストリームを取り込む時に機器間の接続を確保するために行う。ステップＳ４において、自己機器の入力プラグ（ｉＰＣＲ）を確保したチャンネルＸは、ブロードキャストチャンネルである６３ｃｈに接続する。この処理により、記録対象機器であるＤＶカムの出力プラグと自己機器であるデジタル記録再生装置１の入力プラグがチャンネル（６３ｃｈ）に接続され、記録対象機器からのＤＶパケットを受信する準備が完了する。
【００５０】
次のステップＳ５において、ＤＶカム４のノードユニークＩＤの問い合わせを行う。このノードユニークＩＤの問い合わせは、１３９４シリアルバスのＡＳＹＮＣコマンドを使ってＣｏｎｆｉｇ．ＲＯＭの読み取りによって行われる。ステップＳ５において、トポロジー情報（ＧＵＩＤだけでなく、同時に機器の形式、機器名等）を獲得し、獲得したトポロジー情報をモニタ表示し、ユーザが選択したターゲットＤＶ機器を検出する。この情報は、ＤＶ取り込み情報３１のＤＶカム４の製造会社名、機種名の表示情報であり、ノードユニーク番号から読み取り表示する。
【００５１】
次のステップＳ６において、ＤＶカム４の状態（例えば、再生モードか撮影モードか）を確認する。ＤＶカム４が再生モード、又は、ＤＶテープ巻き戻し中であれば、次のステップＳ７に進む。それ以外であれば、警告ダイアログを表示してユーザに知らせ、ＤＶ録画ボタン押下の前の状態まで戻る。
【００５２】
次のステップＳ７において、選択された取り込み先であるＨＤＤ又はＤＶＤが作動中か否か、ＤＶストリーム取り込みのための記録が可能な状態かどうかを確認する。
【００５３】
次のステップＳ８において、録画モードの設定を自動的に、例えば、ＳＰモード（標準画質モード）に設定する。
【００５４】
次のステップＳ９において、タイムコード不連続部の検出を行う。タイムコードはパケットヘッダテーブルに規定されており、ＤＶストリームヘッダ内に格納され、伝送されてくる。デジタル記録再生装置１は、伝送されたパケットヘッダテーブル内のタイムコードをチェックして、不連続部を検出する。検出された不連続タイムコードに対応するＶＡＵＸ（Ｖｉｄｅｏ  Ａｕｘｉｌｉａｒｙ  ｉｎｆｏｒｍａｔｉｏｎ）内のＲｅｃ  Ｄａｔｅ及びＲｅｃ  Ｔｉｍｅ（Ｒｅｃ  Ｄａｔｅ及びＲｅｃ  Ｔｉｍｅをまとめて、「ＤＶ記録日時」とも言う。）と、テープカウンタ値を検索（ステップＳ９ａ）、表示する（ステップＳ１０）。ここで、既に入力済みのタイトルがあれば、デジタル記録再生装置１は、これも検出し、表示する。なお、ＤＶ記録日時、テープカウンタ値、及びタイトルなど撮影に関する情報を総称して撮影情報ともいう。
【００５５】
次のステップＳ１１において、デジタル記録再生装置１は、前記ＤＶ記録日時とテープカウンタ値をＥＥＰＲＯＭ２７に一時記憶させる。これを元に再生リスト（図６の３０）を作製し（ステップＳ１２）、記録媒体のコントローラメモリ１０ａ又は１３ａに記録させ、ユーザ指定の記録媒体ＨＤＤ１１又はＤＶＤ１２の所定の場所に伝送し、ユーザライブラリとして記録する。
【００５６】
次のステップＳ１３において、デジタル記録再生装置１は、１３９４シリアルバス６を介して入力されたＤＶパケットのデジタル記録を開始する。確実にＤＶストリーム取り込みを行うために、デジタル記録再生装置１は、ＤＶの信号検出とランダムアクセス可能な記録媒体への録画開始を同期させる。
【００５７】
ステップＳ１４においてＤＶテープにデータ記録がない無記録部を連続して１分以上検出したとき（すなわち、ストリームデータの無記録部を検出したとき）、又は、ＤＶテープの終端を検出したとき、ＤＶカム４は、コントローラであるデジタル記録再生装置１に対して１３９４シリアルバスを介してコマンドを送信し、ステップＳ１５において記録を停止し、デジタル記録再生装置１内のストリーム変換切換部１４（図２）で、ＥＥＰＲＯＭ２７のＤＶ再生リスト（図６）を呼び出し、外部接続されているモニタＴＶ５に図６のリストを表示する（ステップＳ１６）。
【００５８】
ステップＳ１５において、デジタル記録再生装置１は、１３９４シリアルバス６を介して入力されたＤＶテープ終了を示す信号を検出、例えば、ＡＶ／Ｃ  Ｔｒａｎｓｐｏｒｔ＿ｓｔａｔｕｓ（ＡＶ／Ｃトランスポートステータス）の検出、又は、デコード中にフラグを検出し、これをＣＰＵ１７又は１３９４制御をつかさどる１３９４Ｌｉｎｋ８が検知し、ＤＶ機器の再生を停止させるコマンドを送信すると共に、デジタル記録再生装置１内のストリーム変換切換部１４、ＨＤＤコントローラ１０、及びＤＶＤコントローラ１３を介してランダムアクセス可能な記録可能な記録媒体への記録を停止させる。
【００５９】
ステップＳ１６において、ＣＰＵ１７は、ストリーム変換切換部１４にＤＶ記録を停止させ、ＥＥＰＲＯＭ２７のＤＶ再生リスト（図６）を呼び出し、外部接続されているモニタＴＶ５に図６のリストを表示させる（ステップＳ１６）。ユーザ指示で、このリストを記録した媒体に添付したい要求があれば、これを各媒体のコントローラであるＨＤＤコントローラ１０又はＤＶＤコントローラ１３に伝送し、各コントローラ内のメモリに記録し、何をどこに記録したか表記のアドレスに対応させて、記録したランダムアクセス可能な記録媒体に記録する。
【００６０】
図７は、タイムコードの不連続部の検出ステップと、検出された不連続タイムコードに対応するＤＶ記録日時及びテープカウンタ値を検索し、これらを表示し、タイムコードの不連続部を検出して、テープの終端を検出して自動記録停止までの動作（図５のステップＳ９以降に対応する動作）を詳細に示すフローチャートである。
【００６１】
図７において、制御部２５（図２）は、ステップＳ１０１において、ＤＶ録画ボタン２１（図２）が押下されたことを検出し、ＤＶテープを先頭まで巻き戻してから（ステップＳ１０２）、記録を開始する（ステップＳ１０３）。そして、制御部２５は、通信制御バスを介して送られてくるＤＶ信号を検出してパケットヘッダを取り出し、通信制御バスを介して送られてくるＤＶテープ情報の１つであるＤＶパケットヘッダ内のタイムコード（Ｔｉｍｅ  Ｃｏｄｅ）をチェックする（ステップＳ１０４）。
【００６２】
次のステップＳ１０５において、制御部２５は、上記タイムコードの不連続点を検出し、不連続点が２秒間以上あれば、処理をステップＳ１０６に進め、上記検出タイムコードに対応したＤＶ記録日時、テープカウンタ値をキャプチャーし、ＥＥＰＲＯＭ２７内に記録して、表示部に表示させる（ステップＳ１０６〜Ｓ１０８）。既に、タイムコードと関連付けて既に入力された文字データが入力されている場合は、上記検出タイムコードに対応したデータのタイトルを表示してもよい。制御部２５は、ステップＳ１０５において、タイムコード不連続点が２秒以内であれば、処理をステップＳ１０４に戻し、次のＤＶパケットヘッダの取り出し、タイムコード不連続点のチェックを行う。ステップＳ１０５において、無記録部が６０秒間以上あれば（ステップＳ１０９）、処理は記録停止のステップＳ１１０〜Ｓ１１２に進み、無記録部が６０秒以内であれば（ステップＳ１０９）、処理はステップＳ１０４に戻る。
【００６３】
図８は、図５のステップＳ３の詳細フローを示すＤＶカム判別シーケンスである。ＤＶカム判別シーケンス方法は、２つのＡＶ／Ｃコマンド（ＡＶ／Ｃ  ＧｅｎｅｒａｌのＳｕｂｕｎｉｔ  ＩｎｆｏコマンドとＯｕｔｐｕｔ  Ｓｉｇｎａｌ  Ｍｏｄｅ  Ｓｔａｔｕｓコマンド）の応答値によって判別する。まず、デジタル記録再生装置１は、ＡＶ／Ｃ  ＧｅｎｅｒａｌのＳｕｂｕｎｉｔ  Ｉｎｆｏコマンドを対象の機器に対して発行する（ステップＳ３０１）。デジタル記録再生装置１は、その相手機器からのレスポンスデータのうちレスポンスコード（Ｒｅｓｐｏｎｓｅ  Ｃｏｄｅ）がアクセプト（Ａｃｃｅｐｔ）、かつレスポンスがテープレコーダ／プレーヤサブユニット（Ｔａｐｅ  Ｒｅｃｏｒｄｅｒ／Ｐｌａｙｅｒ  Ｓｕｂｕｎｉｔ）とカメラサブユニット（Ｃａｍｅｒａ  Ｓｕｂｕｎｉｔ）を持っているかどうかを判断する（ステップＳ３０２）。この判断結果が「合致しない」であれば、デジタル記録再生装置１は、ＤＶカム機能を有していないので、上位へＤＶカムではないという情報を返す（ステップＳ３０６）。この判断結果が「合致する」であれば、デジタル記録再生装置１は、ＡＶ／Ｃ  Ｔａｐｅ  Ｒｅｃｏｒｄｅｒ／Ｐｌａｙｅｒ  Ｓｕｂｕｎｉｔのアウトプット・シグナル・モード・ステータス（Ｏｕｔｐｕｔ  Ｓｉｇｎａｌ  Ｍｏｄｅ  Ｓｔａｔｕｓ）コマンドを対象の機器に対して発行する（ステップＳ３０３）。ステップＳ３０３において、発行したコマンドの相手機器からのレスポンスデータのうちＲｅｓｐｏｎｓｅ  Ｃｏｄｅ（レスポンスコード）がＡｃｃｅｐｔ（アクセプト）、かつレスポンスがＳＤ５２５−６０モードであれば、デジタル記録再生装置１は、上位へＤＶカム機能を有することを通知し（ステップＳ３０５）、そうでない場合はＤＶカムではないということを通知する（ステップＳ３０６）。
【００６４】
以上に説明したように、実施の形態１に係るデジタル記録再生装置１によれば、ＤＶ録画ボタン２１を押すだけで、簡単にタイムコードの不連続点に対応するＤＶ記録日時を表示し、この表示を確認しながらＤＶテープを取り込み先のランダムアクセス可能な記録媒体に取り込むことができるという効果がある。
【００６５】
また、実施の形態１に係るデジタル記録再生装置１によれば、ＤＶカム上で編集されたポイント、及び、ＤＶパケット抜けが起きたポイントも容易に検出できるという効果もある。
【００６６】
実施の形態２．
図９は、本発明の実施の形態２に係るデジタル記録再生装置のＤＶ取り込みのための動作を示すフローチャートである。図９は、図５のステップＳ１４における無記録部の検出処理を詳細に示す。実施の形態２に係るデジタル記録再生装置の構成は、実施の形態１のものと同様である。したがって、実施の形態２の説明においては、図１及び図２をも参照する。
【００６７】
ＤＶテープにおけるデータ記録が無い部分である無記録部の検出は、図９に示されるシーケンスによって実行される。実施の形態２に係るデジタル記録再生装置は、ＤＶストリームが、後段に伝送するのに適したフォーマット、例えば、デジタル信号の伝送規格であるＲｅｃ６５６にデコードしているかどうかを示すフラグやレジスタ値を検出し、デコード中か否かを判断する（ステップＳ５０１）。ステップＳ５０１において、デコード中と判断した場合は、処理はステップＳ５０２へ進み、デコード中でないと判断した場合は、処理はステップＳ５０６へ進む。次に、デジタル記録再生装置は、ＡＶ／ＣコマンドのＣｏｎｎｅｃｔ  ＡＶコマンドに対する、ＤＶカムのレスポンス値によって、現在のＤＶカムの状態が撮影モードか再生モードかを判断する（ステップＳ５０２）。ＤＶカムが撮影モードであると判断された場合、デジタル記録再生装置は、ＤＶテープにおけるデータ記録が有る部分である有記録部と判断し（ステップＳ５０３）、無記録部用のカウンタをリセットする（ステップＳ５０４）。
【００６８】
ステップＳ５０２において、現在のＤＶカムの状態が撮影モードではないと判断された場合は、処理はステップＳ５０５に進む。タイムコードはパケットヘッダテーブルに規定されており、ＤＶストリームヘッダ内に格納され、伝送されてくる。タイムコードが無効のときは、時刻の「時」とフレームの「値」が“０ｘＦＦ”又は“０ｘ３Ｆ”となり、時刻の「分」と「秒」が“０ｘＦＦ”又は“０ｘ７Ｆ”となる。この値を参照することにより、無効か否かを判断する（ステップＳ５０５）。タイムコードが無効であれば、処理はステップＳ５０６へ進み、無効でなければ、処理はステップＳ５０３へ進む。獲得したヘッダ内のタイムコードが無効の場合は、無記録部用のタイムカウンタをインクリメントし（ステップＳ５０６）、無記録部用のタイムカウンタをインクリメントした、カウンタ値が、指定した時間に達したか否かを判断する（ステップＳ５０７）。未到達であれば、処理はステップＳ５０１へ戻り、到達していれば、無記録部検出の通知を行い（ステップＳ５０８）、図５のステップＳ１４の無記録部の検出を終え、処理はステップＳ１５に進む。
【００６９】
ＤＶテープの始端／終端を検出するには、テープの状態を示すＡＶ／Ｃコマンドであるトランスポートステータスに対するレスポンスによって判断し、図５のステップＳ１４のテープの終端の検出を終え、ステップＳ１５に進み記録停止を行い、外部接続されているモニタＴＶ５に図６のリストを表示する（ステップＳ１６）。
【００７０】
以上に説明したように、実施の形態２に係るデジタル記録再生装置によれば、デジタル記録再生装置１のユーザがＤＶ録画ボタン２１を押下すると、ＤＶテープのデータをランダムアクセス可能な記録媒体に、ＤＶ記録日時やタイトルを確認しながら取り込むことができる。
【００７１】
また、ユーザがＤＶ録画ボタン２１を押下するだけで、ＤＶ機器検出手段により、接続機器の中から所望の記録対象機器のＤＶカム４を選択して、デジタル記録を開始することができ、ユーザが記録対象機器を選択して、記録モードを確認して設定するという複数の操作を行わなくてよく、簡単にＤＶストリーム取り込み（記録）を行うことができる。
【００７２】
さらに、ＤＶ録画ボタン２１は、デジタル記録再生装置１の本体に装備されていてもよく、また、図示していないが、デジタル記録再生装置１のリモートコントローラに装備されていてもよい。
【００７３】
なお、実施の形態２において、上記以外の点は、上記実施の形態１の場合と同じである。
【００７４】
実施の形態３．
図１０は、本発明の実施の形態３に係るデジタル記録再生装置のＤＶ取り込みのための動作を示すフローチャートである。実施の形態３に係るデジタル記録再生装置の構成は、実施の形態１のものと同様である。したがって、実施の形態３の説明においては、図１、図２、図５、及び図７をも参照する。
【００７５】
実施の形態３に係るデジタル記録再生装置においては、ＤＶカムの１３９４コネクションの接続完了（ステップＳ２０、図５におけるステップＳ１〜Ｓ６）後、ユーザによってＤＶ録画ボタン２１が押下される（ステップＳ２１）。制御部２５はＤＶ録画ボタン２１が押下されたことを検出し、１３９４Ｌｉｎｋ９でＡＶ／Ｃコマンドを、１３９４ＰＨＹ８及び１３９４Ｉ／Ｆ７を介して出力し、ターゲットのＤＶ機器（例えば、図１のＤＶカム４）を制御する。
【００７６】
図７のステップＳ１０２において、図５のステップＳ３で検索したＤＶカム４に対して、デジタル記録再生装置からＰｏｉｎｔ−ｔｏ−Ｐｏｉｎｔコネクションで１３９４シリアルバスのＡＳＹＮＣ（図３のアシンクロナス通信の期間）を使ってＤＶカム４が使用可能であるか否かの状態把握を行い、使用可能な状態である場合は、ＤＶカム４は、使用可能のレスポンスを返し、それを受けて、デジタル記録再生装置１は、ＤＶテープ巻き戻しコマンドをＤＶカム４に送信し、ＤＶカム４のＤＶテープの巻き戻し制御を行う。
【００７７】
ＤＶカム４は、巻き戻しが終了したことを示すコマンドを、１３９４シリアルバス６を介して送信し、デジタル記録再生装置の１３９４Ｌｉｎｋ９及びＣＰＵ１７が、このコマンドを受信する。このコマンドを受信したデジタル記録再生装置の記録開始と、ＤＶカム４の再生開始とを同期させて、スタートコマンドを１３９４Ｌｉｎｋ９が発信し、ＣＰＵ１７からストリーム変換切換部１４で、選択されている記録媒体に同期させた記録開始を命令する（ステップＳ１０３）。この制御により、ＤＶストリーム取り込みの処理であるステップＳ１０４に進む。ステップＳ１０４〜Ｓ１１２の動作により、トランスポートステータスＡＶ／Ｃコマンドでテープの走行状態を検知し、ＡＶ／Ｃタイムコードステータスコマンドによるタイムカウンタ取得により、テープの先頭と終端ポイントを検出し、ＤＶのテープカウンタ値を読み取る。
【００７８】
図１０は、１３９４コネクション接続完了から、先頭に記録されたＤＶ記録日時の検出、ＤＶ記録日時の表示を行いＤＶ取り込みまでの動作を表したフローチャートである。
【００７９】
図１０のステップＳ２０において、上記実施の形態１及び２に係るデジタル記録再生装置に、ＤＶカム４を１３９４接続すると、デジタル記録再生装置は、１３９４シリアルバス６を介してＤＶカム４とのコネクション管理を行う。デジタル記録再生装置は、このコネクション管理後は、１３９４シリアルバス６を介してＤＶパケット受信が可能となる１３９４コネクション接続が完了する（ステップＳ２０）。ＣＰＵ１７が、ＤＶ録画ボタンが押下された（ステップＳ２１）ことを検知した後、ＤＶテープにデータ記録がある有記録部を検知すると（ステップＳ２２）、ＤＶキャプチャー状態になる。有記録部を検知するまでは、デジタル記録再生装置は、ＤＶデコード開始待ちとなる（ステップＳ８０８）。ＤＶカムが撮影モードである場合、デジタル記録再生装置は、有記録部と判断する（ステップＳ２２）。デジタル記録再生装置は、ＡＶ／Ｃタイムコードステータスコマンドによりタイムコードを呼び出し、チェックを行い、タイムコードの不連続点を検索する（ステップＳ２３）。不連続点が２秒以内であれば、処理はステップＳ２２に戻り、次のＤＶパケットヘッダを取り出し、ステップＳ９９において、上記タイムコードの不連続点を検出し、タイムコードの不連続点をチェックする。
【００８０】
ステップＳ９９において、上記タイムコードの不連続点を検出し、不連続点が２秒間以上あれば、処理はステップＳ２４に進み、検出したタイムコードに対応したＲｅｃ  Ｄａｔｅ及びＲｅｃ  Ｔｉｍｅ（ＤＶ記録日時）を検出（ステップＳ２４）し、同様に、対応したテープカウンタ値を検出し（ステップＳ２５）、既に入力済みのタイトルの検出（ステップＳ２６）を行い、検出したこれらデータをＣＰＵ１７（図２）からの指示によって、ＥＥＰＲＯＭ２７に一時記録させる（ステップＳ２７）。ＣＰＵ１７は、ＥＥＰＲＯＭ２７内のＤＶ記録日時データを呼び出し、ＤＶ記録日時データを表示制御回路３３が呼び出し、表示部３６に伝送し、デジタル記録再生装置１の表示部３６（図２）及び外部接続機器のモニタＴＶ５（図１）に表示する。ステップＳ２９において、ユーザが表示されたＤＶ記録日時の取り込みを停止させたい時のみ押される、例えば、停止ボタンを検知した時は、選択された録画日時のものは取り込み中であっても、処理をステップＳ２２に戻し、途中まで記録されたデータはキャンセルされ、次の有記録部を検出する。それ以外の場合は、ＤＶ取り込みの処理（テップＳ３０）に進む。
【００８１】
図１１は、デジタル記録再生装置に取り込まれたＤＶストリームの再生リスト作製から表示までの動作を示すフローチャートである。ステップＳ４０において、表示部３６（図２）又はモニタＴＶ５（図１）に表示されたＤＶ記録日のＤＶデータを、デジタル記録再生装置に取り込むために、ＤＶ取り込みを選択した場合には、処理はステップＳ４１に進み、再生リストを作成するか否か判断する（ステップＳ４１）。再生リストを作成する場合は、デジタル記録再生装置は、プログラムデータを作成する（ステップＳ４２）。このプログラムデータは、ＥＥＰＲＯＭ２７に一時記録させた、タイムコード不連続点に対応したＤＶ録画日時の情報と、これに対応するＤＶから取り込んだ映像音声データをランダムアクセス可能な記録媒体のどのアドレスに記録させたかを表記したものである。作成したプログラムデータは、取り込み先であるランダムアクセス可能な記録媒体のコントローラ内にあるメモリに記録され、このプログラムデータをもとに再生リストが作成される。
【００８２】
ステップＳ４１において、再生リストを作成せずにＤＶ取り込みを行う場合は、のＤＶ取り込み動作に入る（ステップＳ３０）。なお、ステップＳ４０において、表示されたＤＶ記録日の映像音声データを取り込まない場合は、次のＤＶパケットの有記録部の先頭のタイムコード（タイムコードの不連続点）に対応したＤＶ記録日時を表示する（ステップＳ９，Ｓ１０）。
【００８３】
なお、外部接続されたモニタＴＶ５にリスト表示をした画面は、例えば、図６に示すようなものである。
【００８４】
また、デジタル記録再生装置の記録開始とＤＶ機器の再生開始とを同期させてスタートさせる技術は公知であり、例えば、ＰＣＴ／ＪＰ２００５／０２２０５８出願で説明されている。
【００８５】
以上に説明したように、実施の形態３に係るデジタル記録再生装置によれば、テープの先頭を検出することによって、ＤＶテープの先頭から同期して記録でき、ＤＶの記録日時及び、ＤＶのテープカウンタ値を確認しながら記録媒体に取り込むことができる。
【００８６】
なお、実施の形態３において、上記以外の点は、上記実施の形態１又は２の場合と同じである。
【００８７】
実施の形態４．
図１２は、本発明の実施の形態４に係るデジタル記録再生装置の動作を示すフローチャートである。図１２のフローチャートは、図５のステップＳ６を詳細に説明している。また、図１３は、実施の形態４に係るデジタル記録再生装置の取り込みの動作を示す状態遷移図である。さらに、図１４は、実施の形態４に係るデジタル記録再生装置が検出したＤＶ無記録部で区切られた映像は分割タイトルとして表示、記録する動作を示すフローチャートである。なお、実施の形態４の説明においては、図１、図２、図３、図５、及び図９をも参照する。
【００８８】
図１２に示されるように、実施の形態４に係るデジタル記録再生装置は、デジタル記録再生装置１からＰｏｉｎｔ−ｔｏ−Ｐｏｉｎｔコネクションで１３９４シリアルバスのＡＳＹＮＣ（図３におけるアシンクロナス通信の期間）を使ってＤＶカム４が使用可能であるか否かの状態把握を行い（ステップＳ７０１）、ＤＶカムがＥｊｅｃｔ／Ｏｔｈｅｒ（カセット取り出し・その他）ではない、再生モードであることを確認する（ステップＳ７０２）。ステップＳ７０２において、デジタル記録再生装置が使用可能な状態である場合は、処理をステップＳ７０３に進め、ＤＶカム４は、使用可能のレスポンスを返し、それを受けて、デジタル記録再生装置は、ＤＶテープ巻き戻しコマンドをＤＶカム４に送信し（ステップＳ７０３）、ＤＶカム４のＤＶテープの巻き戻し制御を行う。
【００８９】
デジタル記録再生装置は、ステップＳ７０４でＤＶカム４が巻き戻し（ＲＥＷＩＮＤ）状態になったことを確認する。ＤＶカム４が巻き戻し状態にならなかった時は、処理はステップＳ７１３に進み、ＳＴＯＰ（停止）状態が１０秒続いたかどうか確認する。ＳＴＯＰ状態が１０秒続いた、又は、巻き戻しからＳＴＯＰ状態になった（ステップＳ７０５）ならば、処理はステップＳ７０６に進み、再生一時停止コマンドを送信する。ステップＳ７０７において取り込み先の状態の確認（図５におけるステップＳ７）を行い、Ａｃｃｅｐｔ（取り込み許可）ならば、処理はステップＳ７０８へ進み、ＰｌａｙＰａｕｓｅ（再生一時停止）にする。有記録部からの出画のために５秒待機し（ステップＳ７０９）、その５秒間で再生してテープの有記録部を検知する（ステップＳ７１０）。デジタル記録再生装置１内のＲＡＭ１９に現在の録画日時を記録させ、ＤＶカムに再生コマンドを送信（ステップＳ７１１）し、ＤＶストリーム取り込みを開始し、取り込み中となる（ステップＳ７１２）。
【００９０】
ステップＳ７１０において有記録部でないと判断されたとき、処理はステップＳ７１４に進み、図９のフローチャートに示す無記録部検出とするステップに入り、無記録部検出の通知をＤＶカム及びデジタル記録再生装置のＣＰＵに送り、取り込み一時停止状態（ステップＳ７１５）にする。その後、ＰｌａｙＰａｕｓｅ（再生休止）状態となり、次の有記録部を検知する。検知したところから、ＤＶストリーム取り込みを開始する。
【００９１】
ステップＳ７０１、Ｓ７０２、Ｓ７０７において判定が「いいえ」である時には、取り込み中止通知をＤＶカム及びデジタル記録再生装置のＣＰＵ１７に送り（ステップＳ７１６）、Ｉｄｌｅ（アイドル）状態（ステップＳ７１７）にし、ＤＶカムもデジタル記録再生装置も停止状態となり、ユーザの次のボタン操作を待つ。
【００９２】
図１３は、図１２のＤＶ取り込みの状態遷移図である。ステップＳ８０１においては、ＤＶカムとデジタル記録再生装置が接続されていて、共に停止の状態にある。ＤＶ録画ボタンが押下され再生モードの時、巻き戻しコマンド（ステップＳ７０３）がＤＶカムに送信されＤＶ取り込みＲＥＷＩＮＤ（巻き戻し）待ち状態となる（ステップＳ８０２）。ここでＤＶカムがＲＥＷＩＮＤ以外の状態になった場合は、処理はステップＳ８０１に戻る。ＲＥＷＩＮＤになった場合は、処理はステップＳ８０３に進み、ＤＶテープが先頭まで巻き戻り、ＤＶカムがＳＴＯＰ状態になったのを確認（ステップＳ７０５）後、再生一時停止コマンドを送信する（ステップＳ７０６）。ＤＶカムは一時停止コマンドを受信しステップＳ８０４でＰｌａｙＰａｕｓｅ待ちの状態になる。出画のために５秒（ＤＶカムが作動するために必要な時間）待ち先頭が有記録部の場合は、ステップＳ８０５へ進み、ＤＶストリームを取り込み、ＤＶ取り込み状態となる（ステップＳ８０６）。一方、先頭が無記録部の時及び取り込み中に１５秒間（ＤＶカムのカメラ映像取り込み開始ボタンが押された時のテープカウンタの値を保存点とし、実際に記録される遅延分を考慮した値）の無記録部を検知した時は、ＤＶカムにＰｌａｙＰａｕｓｅコマンドを送信しステップＳ８０７でＤＶ取り込みを中断する。次の有記録部を検知したら、再度ステップＳ８０６のＤＶ取り込み状態になる。それまで、ステップＳ８０８のＤＶデコード開始待ちとなる。
【００９３】
図１４に基づいて、デジタル記録再生装置が検出したＤＶ無記録部で区切られた映像を別タイトルとして表示、記録する動作を説明する。図１４に示されるように、まず、検出された無記録部が６０秒以内であるか否かを判断し、無記録部が６０秒以内であれば、処理はステップＳ５２に進む（ステップＳ５１）。次に、一時ＤＶ取り込みを停止し（ステップＳ５２）、次の有記録部を探す（ステップＳ５３）。ステップＳ５３において、有記録部を検出し、その先頭のタイムコードを検出し、ＤＶ取り込み中止前と同じタイムコードか否かチェックを行う（ステップＳ５５）。同じの場合は、中断前と後を分割し、このタイムコードに対応するＤＶ記録日時の後ろにサフィックスとして連番を入れ（ステップＳ５６）、分割してＤＶ記録日時を表示し、ユーザ指示で記録する。
【００９４】
ステップＳ５５において、ＤＶ取り込み中止前と同じタイムコードでなかった場合、ステップＳ５９に進み、ＤＶ取り込み中止前と同じＤＶ記録日時か否かチェックを行う（ステップＳ５９）。同じの場合は、中断前と後を分割し、ＤＶ記録日時の後ろにサフィックスとして連番を入れ（ステップＳ５６）、分割してＤＶ記録日時を表示し、ユーザ指示で記録する。ステップＳ５９で異なる場合は、ステップＳ６０に進み、検索したＤＶ記録日時を表示し、ユーザ指示で記録する。
【００９５】
無記録部が６０秒間以上あれば記録停止のステップに進み、テープの終端を検出して記録停止のステップに進む。
【００９６】
以上に説明したように、実施の形態４に係るデジタル記録再生装置によれば、ＤＶ録画ボタン２１を押すだけで、無記録部を簡単に検索でき、ユーザが記録を希望する情報か否か判断しやすくなる。また、実施の形態４に係るデジタル記録再生装置によれば、ＤＶテープを先頭から終端までのタイムコードの不連続点、さらにＲｅｃ  Ｔｉｍｅ、Ｒｅｃ  Ｄａｔｅの不連続点を検出することにより、取り込み中にＤＶ記録日時が確認でき、必要なＤＶストリームのみを選んで取り込むことができる。
【００９７】
なお、実施の形態４において、上記以外の点は、上記実施の形態１乃至３のいずれかの場合と同じである。
【図面の簡単な説明】
【００９８】
【図１】本発明の実施の形態１乃至４に係るデジタル記録再生装置を含むＤＶストリーム取り込みシステムの構成を概略的に示すブロック図である。
【図２】本発明の実施の形態１乃至４に係るデジタル記録再生装置の構成を概略的に示すブロック図である。
【図３】本発明の実施の形態１乃至４において使用される、アイソクロナス通信とアシンクロナス通信を混在させた通信方式を説明するための図である。
【図４】（ａ）乃至（ｃ）は、本発明の実施の形態１に係るデジタル記録再生装置のＤＶ録画ボタン押下時のＧＵＩ画面表示を示す図である。
【図５】本発明の実施の形態１に係るデジタル記録再生装置が所望のＤＶ機器を検索しＤＶテープの終端や無記録部を検出してＤＶストリーム取り込みを行う動作を示すフローチャートである。
【図６】本発明の実施の形態１乃至３に係るデジタル記録再生装置へ取り込んだＤＶストリームの再生リストの一例である。
【図７】本発明の実施の形態１乃至３に係るデジタル記録再生装置が所望のＤＶ機器を検索してＤＶテープを先頭まで巻き戻した後にＤＶストリーム取り込みを行う動作を示すフローチャートである。
【図８】本発明の実施の形態１に係るデジタル記録再生装置がＤＶカムの検出を行う動作を示すフローチャートであり、図５のステップＳ３の動作を示す。
【図９】本発明の実施の形態２に係るデジタル記録再生装置がＤＶテープの無記録部の検出を行う動作を示すフローチャートであり、図５のステップＳ１４の動作を示す。
【図１０】本発明の実施の形態３に係るデジタル記録再生装置のＤＶストリーム取り込み中に並列して行われる動作を示すフローチャートである。
【図１１】本発明の実施の形態３に係るデジタル記録再生装置へ取り込んだＤＶストリームの再生リスト作製から表示までの動作を示すフローチャートである。
【図１２】本発明の実施の形態４に係るデジタル記録再生装置の動作を示すフローチャートであり、図５のステップＳ６の動作を示す。
【図１３】実施の形態４に係るデジタル記録再生装置の取り込み動作を示す状態遷移図である。
【図１４】実施の形態４に係るデジタル記録再生装置が検出したＤＶ無記録部で区切られた映像は別タイトルとして表示、記録する動作を示すフローチャートである。
【図１５】ＩＥＥＥ１３９４シリアルバスによるＤＶ機器のネットワーク接続の一例を示すブロック図である。
【図１６】従来のデジタル記録再生装置の構成を概略的に示すブロック図である。
【図１７】従来のデジタル記録再生装置のデジタル記録開始時にユーザインターフェースを用いてユーザが行う操作を示すフローチャートである。
【図１８】従来のデジタル記録再生装置の記録開始時の動作を示すフローチャートである。
【図１９】従来のデジタル記録再生装置の編集処理動作を示すフローチャートである。
【符号の説明】
【００９９】
１  デジタル記録再生装置、  ２  デジタルビデオデッキ（Ｄ−ＶＨＳ）、  ３  ＳＴＢ、  ４  ＤＶカム（ＤＶ機器）、  ５  モニタＴＶ、  ６  ＩＥＥＥ１３９４シリアルバス（ＩＥＥＥ１３９４ケーブル）、  ７  ＩＥＥＥ１３９４Ｉ／Ｆ、  ８  ＩＥＥＥ１３９４ＰＨＹ、  ９  ＩＥＥＥ１３９４Ｌｉｎｋ、  １０  ＨＤＤコントローラ、  １０ａ  ＨＤＤ用バッファメモリ、  １１  ＨＤＤ、  １２  ＤＶＤ、  １３  ＤＶＤコントローラ、  １３ａ  ＤＶＤ用バッファメモリ、  １４  ストリーム変換切換部、  １５  映像音声復号部、  １６  内部制御バス、  １７  ＣＰＵ、  １８  ＲＯＭ、  １９  ＲＡＭ、  ２０  ユーザインターフェース、  ２１  ＤＶ録画ボタン（録画操作部）、  ２５  制御部（制御手段）、  ２７  ＥＥＰＲＯＭ（一時記録手段）、  ３０  ＤＶストリーム取り込み画面、  ３１  ＤＶストリームキャプチャー情報、  ３２  ＤＶカウンタ、  ３３  表示制御回路、  ３４  ＧＵＩ生成回路、  ３５  表示切換ボタン、  ３６  表示部、  １００  ＤＶストリーム取り込みシステム。
【図１】
2007267300.tif 000003
【図２】
2007267300.tif 000004
【図３】
2007267300.tif 000005
【図４】
2007267300.tif 000006
【図５】
2007267300.tif 000007
【図６】
2007267300.tif 000008
【図７】
2007267300.tif 000009
【図８】
2007267300.tif 000010
【図９】
2007267300.tif 000011
【図１０】
2007267300.tif 000012
【図１１】
2007267300.tif 000013
【図１２】
2007267300.tif 000014
【図１３】
2007267300.tif 000015
【図１４】
2007267300.tif 000016
【図１５】
2007267300.tif 000017
【図１６】
2007267300.tif 000018
【図１７】
2007267300.tif 000019
【図１８】
2007267300.tif 000020
【図１９】
2007267300.tif 000021